(57)【要約】標的を破壊するためのタンデム弾頭であって、複数の長尺な個々の発射体を備える運動エネルギーロッドセクションと、前記標的の近傍で散開可能な爆裂片形成セクションと、前記標的の軌道経路でまず前記運動エネルギーロッドセクションの前記発射体を散開させ、続いて前記標的の近傍で前記爆裂片形成セクションを散開させるための誘導サブシステムと、を具備してなるタンデム弾頭。【特許請求の範囲】
【請求項１】
標的を破壊するためのタンデム弾頭であって、
複数の長尺な個々の発射体を含む運動エネルギーロッドセクションと、
前記標的の近傍で散開可能な爆裂片形成セクションと、
前記標的の軌道経路でまず前記運動エネルギーロッドセクションの前記発射体を散開させ、続いて前記標的の近傍で前記爆裂片形成セクションを散開させるための手段と、を具備してなることを特徴とするタンデム弾頭。
【請求項２】
前記運動エネルギーロッドセクションは前記発射体の周りに炸薬を備えることを特徴とする請求項１に記載のタンデム弾頭。
【請求項３】
前記炸薬はセクションに分割されていることを特徴とする請求項２に記載のタンデム弾頭。
【請求項４】
前記炸薬の周りには、やはりセクションに分割されたハルが存在することを特徴とする請求項３に記載のタンデム弾頭。
【請求項５】
各ハルセクションと前記発射体との間に配置された射出炸薬パックをさらに含むことを特徴とする請求項４に記載のタンデム弾頭。
【請求項６】
前記発射体が円柱形であることを特徴とする請求項１に記載のタンデム弾頭。
【請求項７】
前記発射体は少なくとも一つの尖鋭化された端部を有することを特徴とする請求項６に記載のタンデム弾頭。
【請求項８】
前記発射体は非円柱形断面を有することを特徴とする請求項１に記載のタンデム弾頭。
【請求項９】
前記発射体は星形断面を有することを特徴とする請求項８に記載のタンデム弾頭。
【請求項１０】
前記非円柱形断面の発射体は尖鋭化された端部を有することを特徴とする請求項８に記載のタンデム弾頭。
【請求項１１】
標的を攻撃する方法であって、
第一に、前記標的の軌道経路に複数の発射体を散開させることと、
第二に、前記標的の近傍に爆裂片形成弾頭を位置させるとともに前記爆裂片形成弾頭を起爆させ、これによって前記爆裂片形成弾頭を切り抜けた前記標的の一部または全部が前記発射体によって破壊されるようにすることと、を具備することを特徴とする標的攻撃方法。
【請求項１２】
散開される前記発射体は円柱形であることを特徴とする請求項１１に記載の方法。
【請求項１３】
散開される前記発射体は少なくとも一つの尖鋭化された端部を有することを特徴とする請求項１２に記載の方法。
【請求項１４】
前記発射体は非円柱形断面を有することを特徴とする請求項１１に記載の方法。
【請求項１５】
前記発射体は星形断面を有することを特徴とする請求項１４に記載の方法。
【請求項１６】
前記非円柱形断面の発射体は尖鋭化された端部を有することを特徴とする請求項１４に記載の方法。
【発明の詳細な説明】
【技術分野】
【０００１】
本発明は、運動エネルギーロッド弾頭セクションおよび爆裂片形成弾頭(blast fragmentation warhead)セクションを備えたタンデム弾頭に関する。
【０００２】
本出願は、２００２年８月２９日提出の仮特許出願シリアルナンバー60/406,828の優先権を主張する。
【背景技術】
【０００３】
爆裂片形成型弾頭はミサイルによって運ばれるよう設計され、そして敵ミサイル、航空機、再突入体(re-entry vehicles)および他の標的を破壊するのに使用される。弾頭を運ぶミサイルが敵ミサイルまたは他の標的の近傍位置に達したとき、弾頭の、予め切込みが入れられるか(pre-scored)あるいは予め細工された(pre-made)金属バンドが爆裂させられ、金属片が高速まで加速されて標的に衝突する。本発明者R. Lloydによる教本（「Conventional Warhead Systems Physics and Engineering Design」、Progress in Astronautics and Aeronautics(AIAA) Book Series、Vol.179、ISBＭ 1,56347-255-4、1998年）（この引用によって本明細書に組み込まれる）を参照すると、そこには、従来型の爆裂および予め細工された破片形成型弾頭および他のタイプの弾頭に関するさらなる詳細が開示されている。
【０００４】
だが、爆裂片形成型弾頭の破片は標的を破壊するのに常に有効とは限らない。生物小型爆弾(biological bomblets)および／または化学兵器(chemical submunition)弾頭が生き残る可能性があり、やはり甚大な損害を引き起こす。
【非特許文献１】R. Lloydによる教本（「Conventional Warhead Systems Physics and Engineering Design」、Progress in Astronautics and Aeronautics(AIAA) Book Series、Vol.179、ISBＭ 1,56347-255-4、1998年）
【発明の開示】
【発明が解決しようとする課題】
【０００５】
ゆえに本発明の目的は、さらに破壊力のある弾頭を提供することである。
【０００６】
本発明のさらなる目的は、それらが運搬可能な生物小型爆弾および／または化学兵器弾頭を含む敵標的を破壊する可能性の高い弾頭を提供することである。
【課題を解決するための手段】
【０００７】
本発明は、運動エネルギーロッドセクションおよび爆裂片形成セクションの両方、ならびに散開シーケンスを含むタンデム弾頭設計によってさらに破壊力のある弾頭がもたらされたことの実現に起因するものである。ここで運動エネルギーロッドセクションの発射体は標的の軌道経路で散開させられるとともに、運搬ミサイルは続いて標的まで飛行し続け、標的の近傍で爆裂片形成セクションを散開させる。この結果、爆裂片形成セクションの散開の後、化学または生物弾頭が生き残っても、それらは運動エネルギーロッドセクションの発射体によって破壊される。
【０００８】
本発明は、標的を破壊するためのタンデム弾頭であって、複数の長尺な個々の発射体を含む運動エネルギーロッドセクションと、前記標的の近傍で散開可能な爆裂片形成セクションと、前記標的の軌道経路でまず前記運動エネルギーロッドセクションの前記発射体を散開させ、続いて前記標的の近傍で前記爆裂片形成セクションを散開させるための手段と、を具備してなるタンデム弾頭を特徴とする。
【０００９】
ある例では、運動エネルギーロッドセクションは発射体の周りに炸薬を備え、この炸薬はセクションに分割され、そして炸薬の周りにはやはりセクションに分割されたハルが存在する。通常、射出(jettison)炸薬は各ハルセクションと発射体との間に配置される。ある実施形態では、発射体は断面が円柱形である。また、発射体は尖鋭化された少なくとも一つの端部を有していてもよく、かつ／またはたとえば星形断面のような非円柱形断面を有していてもよい。
【００１０】
本発明による標的攻撃方法は、第一に、前記標的の軌道経路に複数の発射体を散開させることと、第二に、前記標的の近傍に爆裂片形成弾頭を位置させるとともに前記爆裂片形成弾頭を起爆させ、これによって前記爆裂片形成弾頭を切り抜けた標的の一部または全部が前記発射体によって破壊されるようにすることとを含む。
【００１１】
当業者は、他の目的、特徴および利点について、好ましい実施形態に関する以下の説明および添付図面から見出すであろう。
【発明を実施するための最良の形態】
【００１２】
図１Ａには、ミサイル１２によって運搬され、かつ運動エネルギーロッドセクション１４、爆裂片形成セクション１６、および誘導サブシステム１８を備えたタンデム弾頭１０が、軌道経路２２を有する標的２０の近くに示されている。図１Ｂでは、誘導サブシステム１８は、標的２０の軌道経路２２に長尺なチタニウム、タンタル、またはタングステン製の発射体２４を散開させる運動エネルギーロッドセクション１４の散開を起こすための一つの手段として機能し、その後、誘導サブシステム１８は図１Ｃのように標的２０の近傍にミサイル１２を誘導し続ける。そこで爆裂片形成セクション１６が散開され、そしてその爆裂片２６が標的２０を攻撃する。
【００１３】
だが、図１Ｄに示すように、標的２０は爆裂片形成弾頭１６によって完全には破壊されず、兵器(submunitions)３０が爆裂片との交戦を切り抜けてしまう。しかし発射体２４が兵器軌道経路にあり、図１Ｅに示すようにそれは発射体２４によって破壊される。
【００１４】
爆裂片形成弾頭および運動エネルギーロッド弾頭の破壊力を新しい手法で組み合わせることで、さらに破壊力のある弾頭が実現される。爆裂片形成弾頭１６（図１Ａ）は誘導サブシステム１８と同様従来型のものであるが、好ましい運動エネルギーロッド弾頭セクションは照準可能であり、通常、図２ないし図５に示すように構成される。運動エネルギーロッド弾頭１４は、多数のセクション２０２，２０４，２０６および２０８に分割された炸薬を具備する。シールド２２５などのシールドは炸薬セクション２０４と２０６を分離する。シールド２２５は、内側レキセイン(lexan)（商標）層と外側レキセイン層との間に挟み込まれたスチールコアのような複合材料から構成されることがあり、ある炸薬セクションの起爆が他の炸薬セクションを起爆させるのを阻止する。起爆コードはハルセクション２１０，２１２および２１４間に存在し、このそれぞれは射出炸薬パック２２０，２２４および２２６を有する。高密度発射体２４すなわちロッド２４は図示のとおり弾頭２００のコアまたはベイ内に存在する。全てのロッド２４を特定方向に向けるため、ハルセクション２１０，２１２および２１４の各サイドの起爆コードが、射出炸薬パック２２０，２２２および２２４と同様、図２および図３に示すように起動させられ、発射体２４の意図した飛散方向から離れるようハルセクション２１０，２１２および２１４を射出する。図１Ｂに示す標的の軌道経路に発射体２４を散開させるため、多数の起爆装置を用いて炸薬セクション２０２（図４）が続いて図５に示すように起爆させられる。こうして、二つまたは三つの炸薬セクションを選択起爆させることにより、発射体は明確に標的の軌道経路に狙いが付けられる。通常、図２および図３のハル部分は、運搬ミサイルの外皮、または分離モジュールとしてミサイルに付加されるかまたはそれに収容される部分のいずれかである。
【００１５】
運動エネルギーロッドセクション用の好ましい発射体の設計は、より大きな破壊力およびより良好な装填密度のため、図示のとおりに尖鋭化されたノーズを備えた発射体２４０（図６）または星形断面および尖鋭化されたノーズを有する発射体２５２（図７）を含む。図８に示すように発射体２５２のそれぞれは多数の花弁を有し、これによって、図８に仮想線で示す円柱断面形状を有する発射体に比べて所与の容積に、より多くの発射体を装填することが可能となる。
【００１６】
この結果、特に上記実施形態に関しては非常に破壊力の大きな弾頭設計となる。ここで、運動エネルギーロッドセクションは特定の方向に、そして図１Ｂに示すように標的の軌道経路２２（図１Ａ）にその発射体を散開させるため狙いを付けることができ、しかもさらに発射体は非円柱断面形状および／または尖鋭化された一端部を有する。さらに運動エネルギーロッド弾頭に関する詳細は、この引用によって本明細書に組み込まれる対応米国特許出願シリアルナンバー09/938,022、10/301,420および10/162,498に開示されている。
【００１７】
各図に本発明の具体的特徴を示したが、これは便宜的なものであり、各特徴は本発明による他の特徴のいずれかまたは全てと組み合わせることができる。ここで使用した「含む」、「具備する」、「有する」および「備える」という語は、広くかつ包括的に解釈されるべきであり、物理的相互接続を限定するものではない。さらに、本願において開示した実施形態は唯一可能な実施形態として理解されるべきではない。
【００１８】
他の実施形態は当業者には明白であり、それも本願の特許請求の範囲内のものである。
【図面の簡単な説明】
【００１９】
【図１Ａ】本発明のタンデム弾頭の作動手順を示す概略図である。
【図１Ｂ】本発明のタンデム弾頭の作動手順を示す概略図である。
【図１Ｃ】本発明のタンデム弾頭の作動手順を示す概略図である。
【図１Ｄ】本発明のタンデム弾頭の作動手順を示す概略図である。
【図１Ｅ】本発明のタンデム弾頭の作動手順を示す概略図である。
【図２】本発明のタンデム弾頭のある好ましい運動エネルギーロッドセクションの作動手順を示す概略斜視図である。
【図３】本発明のタンデム弾頭のある好ましい運動エネルギーロッドセクションの作動手順を示す概略斜視図である。
【図４】本発明のタンデム弾頭のある好ましい運動エネルギーロッドセクションの作動手順を示す概略斜視図である。
【図５】本発明のタンデム弾頭のある好ましい運動エネルギーロッドセクションの作動手順を示す概略斜視図である。
【図６】本発明のタンデム弾頭の運動エネルギーロッドセクション用の各発射体形状の例を示す概略斜視図である。
【図７】本発明のタンデム弾頭の運動エネルギーロッドセクション用の各発射体形状の例を示す概略斜視図である。
【図８】本発明のタンデム弾頭の運動エネルギーロッドセクション用の各発射体形状の例を示す概略斜視図である。
【符号の説明】
【００２０】
１０  タンデム弾頭
１２  ミサイル
１４  運動エネルギーロッドセクション
１６  爆裂片形成セクション
１８  誘導サブシステム
２０  標的
２２  軌道経路
２４  発射体
２６  爆裂片
３０  兵器
２００  弾頭
２０２，２０４，２０６，２０８  炸薬セクション
２１０，２１２，２１４  ハルセクション
２２０，２２２，２２４，２２６  射出炸薬パック
２２５  シールド
２４０，２５２  発射体
2006510868.tif 000002
2006510868.tif 000003
2006510868.tif 000004
2006510868.tif 000005
【図２】
2006510868.tif 000006
【図３】
2006510868.tif 000007
【図４】
2006510868.tif 000008
【図５】
2006510868.tif 000009
【図６】
2006510868.tif 000010
【図７】
2006510868.tif 000011
【図８】
2006510868.tif 000012
【国際調査報告】
2006510868.tif 000013